【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
１つの移動体端末に対する通信に複数Ｋのキャリアを用いるマルチキャリア変調方式、送信アンテナの数Ｎ、受信アンテナの数ＭのＭＩＭＯ方式および前記数Ｎの送信アンテナによる放射ビーム特性を設定するビームフォーミング処理方式を採用するシステムを試験対象とし、前記送信アンテナと前記受信アンテナの間に（Ｎ×Ｍ）個のチャネルと該チャネルにそれぞれ複数Ｕのパスを有する擬似的な伝搬路を想定し、該伝搬路を経由して前記数Ｍの受信アンテナで受信される受信信号を生成して前記試験対象に与えるＭＩＭＯ方式システムの試験装置において、
前記試験対象に伝達するためのＲレイヤ分のデータ信号列に対して、それぞれ前記複数Ｋのキャリア毎の周波数領域の変調信号を（Ｒ×Ｋ）系列分生成するレイヤ周波数領域信号生成部（３１）と、
前記レイヤ周波数領域信号生成部が出力する（Ｒ×Ｋ）系列分の変調信号に対し、時間領域での窓関数の乗算による信号切出しに相当する周波数領域での処理として、前記窓関数の周波数特性の畳み込み演算を行なう窓関数演算部（３２）と、
前記数Ｎの送信アンテナと前記数Ｍの受信アンテナの間に想定される全てのパスについての伝搬路特性を求めるフェージング設定部（５１）と、
前記フェージング設定部で求めた（Ｎ×Ｍ×Ｕ）パス分の伝搬路特性に対し、前記数Ｎの送信アンテナによる放射ビーム特性を所望特性にするためのビームフォーミング処理と等価の演算処理を行なうビームフォーミング等価演算部（５２）と、
前記ビームフォーミング等価演算部によって得られた全てのパスについての伝搬路特性に対し、パス毎の遅延を加味したフーリエ変換を行ない、周波数領域における伝搬路特性を求めるフーリエ変換部（５３）と、
前記フーリエ変換部によって得られた周波数領域における伝搬路特性と前記窓関数演算部の演算結果との乗算により、前記数Ｍの受信アンテナでそれぞれ受信される信号のスペクトラム情報を求める演算部（５４）と、
前記演算部の演算結果に対してフーリエ逆変換処理を行ない、前記数Ｍの受信アンテナでそれぞれ受信される時間領域の信号を生成する時間領域信号生成部（３３）と、
前記時間領域信号生成部が生成した時間領域の信号を、前記窓関数の長さ分ずらして加算して、前記数Ｍの受信アンテナでそれぞれ受信される連続した受信信号を生成するシフト加算部（３４）とを備えたことを特徴とするＭＩＭＯ方式システムの試験装置。
【請求項２】
１つの移動体端末に対する通信に複数Ｋのキャリアを用いるマルチキャリア変調方式、送信アンテナの数Ｎ、受信アンテナの数ＭのＭＩＭＯ方式および前記数Ｎの送信アンテナによる放射ビーム特性を設定するビームフォーミング処理方式を採用するシステムを試験対象とし、前記送信アンテナと前記受信アンテナの間に（Ｎ×Ｍ）個のチャネルと該チャネルにそれぞれ複数Ｕのパスを有する擬似的な伝搬路を想定し、該伝搬路を経由して前記数Ｍの受信アンテナで受信される受信信号を生成して前記試験対象に与えるＭＩＭＯ方式システムの試験装置において、
前記試験対象に伝達するためのＲレイヤ分のデータ信号列に対して、それぞれ前記複数Ｋのキャリア毎の周波数領域の変調信号を（Ｒ×Ｋ）系列分生成するレイヤ周波数領域信号生成部（３１）と、
前記レイヤ周波数領域信号生成部が出力する（Ｒ×Ｋ）系列分の変調信号に対し、時間領域での窓関数の乗算による信号切出しに相当する周波数領域での処理として、前記窓関数の周波数特性の畳み込み演算を行なう窓関数演算部（３２）と、
前記数Ｎの送信アンテナと前記数Ｍの受信アンテナの間に想定される全てのパスについての伝搬路特性を求めるフェージング設定部（５１）と、
前記フェージング設定部で得られた全てのパスについての伝搬路特性に対し、パス毎の遅延を加味したフーリエ変換を行ない、周波数領域における伝搬路特性を求めるフーリエ変換部（５３′）と、
前記フーリエ変換部で求めた周波数領域における伝搬路特性に対し、前記数Ｎの送信アンテナによる放射ビーム特性を所望特性にするためのビームフォーミング処理と等価の演算処理を行なうビームフォーミング等価演算部（５２′）と、
前記ビームフォーミング等価演算部の演算結果と前記窓関数演算部の演算結果との乗算により、前記数Ｍの受信アンテナでそれぞれ受信される信号のスペクトラム情報を求める演算部（５４′）と、
前記演算部の演算結果に対してフーリエ逆変換処理を行ない、前記数Ｍの受信アンテナでそれぞれ受信される時間領域の信号を生成する時間領域信号生成部（３３）と、
前記時間領域信号生成部が生成した時間領域の信号を、前記窓関数の長さ分ずらして加算して、前記数Ｍの受信アンテナでそれぞれ受信される連続した受信信号を生成するシフト加算部（３４）とを備えたことを特徴とするＭＩＭＯ方式システムの試験装置。
【請求項３】
１つの移動体端末に対する通信に複数Ｋのキャリアを用いるマルチキャリア変調方式、送信アンテナの数Ｎ、受信アンテナの数ＭのＭＩＭＯ方式および前記数Ｎの送信アンテナによる放射ビーム特性を設定するビームフォーミング処理方式を採用するシステムを試験対象とし、前記送信アンテナと前記受信アンテナの間に（Ｎ×Ｍ）個のチャネルと該チャネルにそれぞれ複数Ｕのパスを有する擬似的な伝搬路を想定し、該伝搬路を経由して前記数Ｍの受信アンテナで受信される受信信号を生成して前記試験対象に与えるＭＩＭＯ方式システムの試験装置において、
前記試験対象に伝達するためのＲレイヤ分のデータ信号列に対して、それぞれ前記複数Ｋのキャリア毎の周波数領域の変調信号を（Ｒ×Ｋ）系列分生成するレイヤ周波数領域信号生成部（３１）と、
前記レイヤ周波数領域信号生成部が出力する（Ｒ×Ｋ）系列分の変調信号に対し、時間領域での窓関数の乗算による信号切出しに相当する周波数領域での処理として、前記窓関数の周波数特性の畳み込み演算を行なう窓関数演算部（３２）と、
前記窓関数演算部の演算結果に対し、前記数Ｎの送信アンテナによる放射ビーム特性を所望特性にするためのビームフォーミング処理と等価の演算処理を行なうビームフォーミング等価演算部（５２″）と、
前記数Ｎの送信アンテナと前記数Ｍの受信アンテナの間に想定される全てのパスについての伝搬路特性を求めるフェージング設定部（５１）と、
前記フェージング設定部で得られた全てのパスについての伝搬路特性に対し、パス毎の遅延を加味したフーリエ変換を行ない、周波数領域における伝搬路特性を求めるフーリエ変換部（５３′）と、
前記フーリエ変換部によって求められた周波数領域における伝搬路特性とビームフォーミング等価演算部の演算結果との乗算により、前記数Ｍの受信アンテナでそれぞれ受信される信号のスペクトラム情報を求める演算部（５４″）と、
前記演算部の演算結果に対してフーリエ逆変換処理を行ない、前記数Ｍの受信アンテナでそれぞれ受信される時間領域の信号を生成する時間領域信号生成部（３３）と、
前記時間領域信号生成部が生成した時間領域の信号を、前記窓関数の長さ分ずらして加算して、前記数Ｍの受信アンテナでそれぞれ受信される連続した受信信号を生成するシフト加算部（３４）とを備えたことを特徴とするＭＩＭＯ方式システムの試験装置。
【請求項４】
１つの移動体端末に対する通信に複数Ｋのキャリアを用いるマルチキャリア変調方式、送信アンテナの数Ｎ、受信アンテナの数ＭのＭＩＭＯ方式および前記数Ｎの送信アンテナによる放射ビーム特性を設定するビームフォーミング処理方式を採用するシステムを試験対象とし、前記送信アンテナと前記受信アンテナの間に（Ｎ×Ｍ）個のチャネルと該チャネルにそれぞれ複数Ｕのパスを有する擬似的な伝搬路を想定し、該伝搬路を経由して前記数Ｍの受信アンテナで受信される受信信号を生成して前記試験対象に与えるＭＩＭＯ方式システムの試験方法において、
前記試験対象に伝達するためのＲレイヤ分のデータ信号列に対して、それぞれ前記複数Ｋのキャリア毎の周波数領域の変調信号を（Ｒ×Ｋ）系列分生成する段階と、
前記（Ｒ×Ｋ）系列分の変調信号に対し、時間領域での窓関数の乗算による信号切出しに相当する周波数領域での処理として、前記窓関数の周波数特性の畳み込み演算を行なう段階と、
前記数Ｎの送信アンテナと前記数Ｍの受信アンテナの間に想定される全てのパスについての伝搬路特性を求める段階と、
前記全てのパスについて求めた伝搬路特性に対し、前記数Ｎの送信アンテナによる放射ビーム特性を所望特性にするためのビームフォーミング処理と等価の演算処理を行なう段階と、
前記ビームフォーミング処理と等価の演算処理で得られた全てのパスについての伝搬路特性に対し、パス毎の遅延を加味したフーリエ変換を行ない、周波数領域における伝搬路特性を求める段階と、
前記周波数領域における伝搬路特性と前記窓関数の周波数特性の畳み込み演算の結果との乗算により、前記数Ｍの受信アンテナでそれぞれ受信される信号のスペクトラム情報を求める段階と、
前記スペクトラム情報に対してフーリエ逆変換処理を行ない、前記数Ｍの受信アンテナでそれぞれ受信される時間領域の信号を生成する段階と、
前記生成した時間領域の信号を、前記窓関数の長さ分ずらして加算して、前記数Ｍの受信アンテナでそれぞれ受信される連続した受信信号を生成する段階とを含むことを特徴とするＭＩＭＯ方式システムの試験方法。
【請求項５】
１つの移動体端末に対する通信に複数Ｋのキャリアを用いるマルチキャリア変調方式、送信アンテナの数Ｎ、受信アンテナの数ＭのＭＩＭＯ方式および前記数Ｎの送信アンテナによる放射ビーム特性を設定するビームフォーミング処理方式を採用するシステムを試験対象とし、前記送信アンテナと前記受信アンテナの間に（Ｎ×Ｍ）個のチャネルと該チャネルにそれぞれ複数Ｕのパスを有する擬似的な伝搬路を想定し、該伝搬路を経由して前記数Ｍの受信アンテナで受信される受信信号を生成して前記試験対象に与えるＭＩＭＯ方式システムの試験方法において、
前記試験対象に伝達するためのＲレイヤ分のデータ信号列に対して、それぞれ前記複数Ｋのキャリア毎の周波数領域の変調信号を（Ｒ×Ｋ）系列分生成する段階と、
前記（Ｒ×Ｋ）系列分の変調信号に対し、時間領域での窓関数の乗算による信号切出しに相当する周波数領域での処理として、前記窓関数の周波数特性の畳み込み演算を行なう段階と、
前記数Ｎの送信アンテナと前記数Ｍの受信アンテナの間に想定される全てのパスについての伝搬路特性を求める段階と、
前記全てのパスについて求めた伝搬路特性に対し、パス毎の遅延を加味したフーリエ変換を行ない、周波数領域における伝搬路特性を求める段階と、
前記フーリエ変換によって得られた伝搬路特性に対し、前記数Ｎの送信アンテナによる放射ビーム特性を所望特性にするためのビームフォーミング処理と等価の演算処理を行なう段階と、
前記ビームフォーミング処理と等価の演算処理で得られた伝搬路特性と前記窓関数の周波数特性の畳み込み演算の結果との乗算により、前記数Ｍの受信アンテナでそれぞれ受信される信号のスペクトラム情報を求める段階と、
前記スペクトラム情報に対してフーリエ逆変換処理を行ない、前記数Ｍの受信アンテナでそれぞれ受信される時間領域の信号を生成する段階と、
前記生成した時間領域の信号を、前記窓関数の長さ分ずらして加算して、前記数Ｍの受信アンテナでそれぞれ受信される連続した受信信号を生成する段階とを含むことを特徴とするＭＩＭＯ方式システムの試験方法。
【請求項６】
１つの移動体端末に対する通信に複数Ｋのキャリアを用いるマルチキャリア変調方式、送信アンテナの数Ｎ、受信アンテナの数ＭのＭＩＭＯ方式および前記数Ｎの送信アンテナによる放射ビーム特性を設定するビームフォーミング処理方式を採用するシステムを試験対象とし、前記送信アンテナと前記受信アンテナの間に（Ｎ×Ｍ）個のチャネルと該チャネルにそれぞれ複数Ｕのパスを有する擬似的な伝搬路を想定し、該伝搬路を経由して前記数Ｍの受信アンテナで受信される受信信号を生成して前記試験対象に与えるＭＩＭＯ方式システムの試験方法において、
前記試験対象に伝達するためのＲレイヤ分のデータ信号列に対して、それぞれ前記複数Ｋのキャリア毎の周波数領域の変調信号を（Ｒ×Ｋ）系列分生成する段階と、
前記（Ｒ×Ｋ）系列分の変調信号に対し、時間領域での窓関数の乗算による信号切出しに相当する周波数領域での処理として、前記窓関数の周波数特性の畳み込み演算を行なう段階と、
前記窓関数の畳み込み演算の演算結果に対し、前記数Ｎの送信アンテナによる放射ビーム特性を所望特性にするためのビームフォーミング処理と等価の演算処理を行なう段階と、
前記数Ｎの送信アンテナと前記数Ｍの受信アンテナの間に想定される全てのパスについての伝搬路特性を求める段階と、
前記全てのパスについての伝搬路特性に対し、パス毎の遅延を加味したフーリエ変換を行ない、周波数領域における伝搬路特性を求める段階と、
前記周波数領域における伝搬路特性と、前記ビームフォーミング処理と等価の演算処理の演算結果との乗算により、前記数Ｍの受信アンテナでそれぞれ受信される信号のスペクトラム情報を求める段階と、
前記スペクトラム情報に対してフーリエ逆変換処理を行ない、前記数Ｍの受信アンテナでそれぞれ受信される時間領域の信号を生成する段階と、
前記生成した時間領域の信号を、前記窓関数の長さ分ずらして加算して、前記数Ｍの受信アンテナでそれぞれ受信される連続した受信信号を生成する段階とを含むことを特徴とするＭＩＭＯ方式システムの試験方法。
【手続補正２】
【補正対象書類名】明細書
【補正対象項目名】０００７
【補正方法】変更
【補正の内容】
【０００７】
この試験装置１０は、マルチキャリア変調方式のうち、複数Ｋのサブキャリアを用いて端末との通信を行なうＯＦＤＭに対応したものであり、レイヤ周波数領域信号生成部１１において、試験対象に伝達しようとするＲ系列の伝送データ（レイヤあるいはストリームと呼ばれる）に対してそれぞれ複数Ｋのサブキャリア毎の変調信号（コンスタレーションデータ）Ｓsym(1,1)〜Ｓsym(1,K)、Ｓsym(2,1)〜Ｓsym(2,K)、……、Ｓsym(R,1)〜Ｓsym(R,K)を生成出力する。この変調信号Ｓsym は、ＯＦＤＭシンボル毎に、周波数軸上にＫ個のコンスタレーションデータを並べたデータをＲ系列分含む周波数領域の信号である。
【手続補正３】
【補正対象書類名】明細書
【補正対象項目名】００２２
【補正方法】変更
【補正の内容】
【００２２】
前記目的を達成するために、本発明の請求項１のＭＩＭＯ方式システムの試験装置は、
１つの移動体端末に対する通信に複数Ｋのキャリアを用いるマルチキャリア変調方式、送信アンテナの数Ｎ、受信アンテナの数ＭのＭＩＭＯ方式および前記数Ｎの送信アンテナによる放射ビーム特性を設定するビームフォーミング処理方式を採用するシステムを試験対象とし、前記送信アンテナと前記受信アンテナの間に（Ｎ×Ｍ）個のチャネルと該チャネルにそれぞれ複数Ｕのパスを有する擬似的な伝搬路を想定し、該伝搬路を経由して前記数Ｍの受信アンテナで受信される受信信号を生成して前記試験対象に与えるＭＩＭＯ方式システムの試験装置において、
前記試験対象に伝達するためのＲレイヤ分のデータ信号列に対して、それぞれ前記複数Ｋのキャリア毎の周波数領域の変調信号を（Ｒ×Ｋ）系列分生成するレイヤ周波数領域信号生成部（３１）と、
前記レイヤ周波数領域信号生成部が出力する（Ｒ×Ｋ）系列分の変調信号に対し、時間領域での窓関数の乗算による信号切出しに相当する周波数領域での処理として、前記窓関数の周波数特性の畳み込み演算を行なう窓関数演算部（３２）と、
前記数Ｎの送信アンテナと前記数Ｍの受信アンテナの間に想定される全てのパスについての伝搬路特性を求めるフェージング設定部（５１）と、
前記フェージング設定部で求めた（Ｎ×Ｍ×Ｕ）パス分の伝搬路特性に対し、前記数Ｎの送信アンテナによる放射ビーム特性を所望特性にするためのビームフォーミング処理と等価の演算処理を行なうビームフォーミング等価演算部（５２）と、
前記ビームフォーミング等価演算部によって得られた全てのパスについての伝搬路特性に対し、パス毎の遅延を加味したフーリエ変換を行ない、周波数領域における伝搬路特性を求めるフーリエ変換部（５３）と、
前記フーリエ変換部によって得られた周波数領域における伝搬路特性と前記窓関数演算部の演算結果との乗算により、前記数Ｍの受信アンテナでそれぞれ受信される信号のスペクトラム情報を求める演算部（５４）と、
前記演算部の演算結果に対してフーリエ逆変換処理を行ない、前記数Ｍの受信アンテナでそれぞれ受信される時間領域の信号を生成する時間領域信号生成部（３３）と、
前記時間領域信号生成部が生成した時間領域の信号を、前記窓関数の長さ分ずらして加算して、前記数Ｍの受信アンテナでそれぞれ受信される連続した受信信号を生成するシフト加算部（３４）とを備えている。
【手続補正４】
【補正対象書類名】明細書
【補正対象項目名】００２３
【補正方法】変更
【補正の内容】
【００２３】
また、本発明の請求項２のＭＩＭＯ方式システムの試験装置は、
１つの移動体端末に対する通信に複数Ｋのキャリアを用いるマルチキャリア変調方式、送信アンテナの数Ｎ、受信アンテナの数ＭのＭＩＭＯ方式および前記数Ｎの送信アンテナによる放射ビーム特性を設定するビームフォーミング処理方式を採用するシステムを試験対象とし、前記送信アンテナと前記受信アンテナの間に（Ｎ×Ｍ）個のチャネルと該チャネルにそれぞれ複数Ｕのパスを有する擬似的な伝搬路を想定し、該伝搬路を経由して前記数Ｍの受信アンテナで受信される受信信号を生成して前記試験対象に与えるＭＩＭＯ方式システムの試験装置において、
前記試験対象に伝達するためのＲレイヤ分のデータ信号列に対して、それぞれ前記複数Ｋのキャリア毎の周波数領域の変調信号を（Ｒ×Ｋ）系列分生成するレイヤ周波数領域信号生成部（３１）と、
前記レイヤ周波数領域信号生成部が出力する（Ｒ×Ｋ）系列分の変調信号に対し、時間領域での窓関数の乗算による信号切出しに相当する周波数領域での処理として、前記窓関数の周波数特性の畳み込み演算を行なう窓関数演算部（３２）と、
前記数Ｎの送信アンテナと前記数Ｍの受信アンテナの間に想定される全てのパスについての伝搬路特性を求めるフェージング設定部（５１）と、
前記フェージング設定部で得られた全てのパスについての伝搬路特性に対し、パス毎の遅延を加味したフーリエ変換を行ない、周波数領域における伝搬路特性を求めるフーリエ変換部（５３′）と、
前記フーリエ変換部で求めた周波数領域における伝搬路特性に対し、前記数Ｎの送信アンテナによる放射ビーム特性を所望特性にするためのビームフォーミング処理と等価の演算処理を行なうビームフォーミング等価演算部（５２′）と、
前記ビームフォーミング等価演算部の演算結果と前記窓関数演算部の演算結果との乗算により、前記数Ｍの受信アンテナでそれぞれ受信される信号のスペクトラム情報を求める演算部（５４′）と、
前記演算部の演算結果に対してフーリエ逆変換処理を行ない、前記数Ｍの受信アンテナでそれぞれ受信される時間領域の信号を生成する時間領域信号生成部（３３）と、
前記時間領域信号生成部が生成した時間領域の信号を、前記窓関数の長さ分ずらして加算して、前記数Ｍの受信アンテナでそれぞれ受信される連続した受信信号を生成するシフト加算部（３４）とを備えている。
【手続補正５】
【補正対象書類名】明細書
【補正対象項目名】００２４
【補正方法】変更
【補正の内容】
【００２４】
また、本発明の請求項３のＭＩＭＯ方式システムの試験装置は、
１つの移動体端末に対する通信に複数Ｋのキャリアを用いるマルチキャリア変調方式、送信アンテナの数Ｎ、受信アンテナの数ＭのＭＩＭＯ方式および前記数Ｎの送信アンテナによる放射ビーム特性を設定するビームフォーミング処理方式を採用するシステムを試験対象とし、前記送信アンテナと前記受信アンテナの間に（Ｎ×Ｍ）個のチャネルと該チャネルにそれぞれ複数Ｕのパスを有する擬似的な伝搬路を想定し、該伝搬路を経由して前記数Ｍの受信アンテナで受信される受信信号を生成して前記試験対象に与えるＭＩＭＯ方式システムの試験装置において、
前記試験対象に伝達するためのＲレイヤ分のデータ信号列に対して、それぞれ前記複数Ｋのキャリア毎の周波数領域の変調信号を（Ｒ×Ｋ）系列分生成するレイヤ周波数領域信号生成部（３１）と、
前記レイヤ周波数領域信号生成部が出力する（Ｒ×Ｋ）系列分の変調信号に対し、時間領域での窓関数の乗算による信号切出しに相当する周波数領域での処理として、前記窓関数の周波数特性の畳み込み演算を行なう窓関数演算部（３２）と、
前記窓関数演算部の演算結果に対し、前記数Ｎの送信アンテナによる放射ビーム特性を所望特性にするためのビームフォーミング処理と等価の演算処理を行なうビームフォーミング等価演算部（５２″）と、
前記数Ｎの送信アンテナと前記数Ｍの受信アンテナの間に想定される全てのパスについての伝搬路特性を求めるフェージング設定部（５１）と、
前記フェージング設定部で得られた全てのパスについての伝搬路特性に対し、パス毎の遅延を加味したフーリエ変換を行ない、周波数領域における伝搬路特性を求めるフーリエ変換部（５３′）と、
前記フーリエ変換部によって求められた周波数領域における伝搬路特性とビームフォーミング等価演算部の演算結果との乗算により、前記数Ｍの受信アンテナでそれぞれ受信される信号のスペクトラム情報を求める演算部（５４″）と、
前記演算部の演算結果に対してフーリエ逆変換処理を行ない、前記数Ｍの受信アンテナでそれぞれ受信される時間領域の信号を生成する時間領域信号生成部（３３）と、
前記時間領域信号生成部が生成した時間領域の信号を、前記窓関数の長さ分ずらして加算して、前記数Ｍの受信アンテナでそれぞれ受信される連続した受信信号を生成するシフト加算部（３４）とを備えている。
【手続補正６】
【補正対象書類名】明細書
【補正対象項目名】００２５
【補正方法】変更
【補正の内容】
【００２５】
また、本発明の請求項４のＭＩＭＯ方式システムの試験方法は、
１つの移動体端末に対する通信に複数Ｋのキャリアを用いるマルチキャリア変調方式、送信アンテナの数Ｎ、受信アンテナの数ＭのＭＩＭＯ方式および前記数Ｎの送信アンテナによる放射ビーム特性を設定するビームフォーミング処理方式を採用するシステムを試験対象とし、前記送信アンテナと前記受信アンテナの間に（Ｎ×Ｍ）個のチャネルと該チャネルにそれぞれ複数Ｕのパスを有する擬似的な伝搬路を想定し、該伝搬路を経由して前記数Ｍの受信アンテナで受信される受信信号を生成して前記試験対象に与えるＭＩＭＯ方式システムの試験方法において、
前記試験対象に伝達するためのＲレイヤ分のデータ信号列に対して、それぞれ前記複数Ｋのキャリア毎の周波数領域の変調信号を（Ｒ×Ｋ）系列分生成する段階と、
前記（Ｒ×Ｋ）系列分の変調信号に対し、時間領域での窓関数の乗算による信号切出しに相当する周波数領域での処理として、前記窓関数の周波数特性の畳み込み演算を行なう段階と、
前記数Ｎの送信アンテナと前記数Ｍの受信アンテナの間に想定される全てのパスについての伝搬路特性を求める段階と、
前記全てのパスについて求めた伝搬路特性に対し、前記数Ｎの送信アンテナによる放射ビーム特性を所望特性にするためのビームフォーミング処理と等価の演算処理を行なう段階と、
前記ビームフォーミング処理と等価の演算処理で得られた全てのパスについての伝搬路特性に対し、パス毎の遅延を加味したフーリエ変換を行ない、周波数領域における伝搬路特性を求める段階と、
前記周波数領域における伝搬路特性と前記窓関数の周波数特性の畳み込み演算の結果との乗算により、前記数Ｍの受信アンテナでそれぞれ受信される信号のスペクトラム情報を求める段階と、
前記スペクトラム情報に対してフーリエ逆変換処理を行ない、前記数Ｍの受信アンテナでそれぞれ受信される時間領域の信号を生成する段階と、
前記生成した時間領域の信号を、前記窓関数の長さ分ずらして加算して、前記数Ｍの受信アンテナでそれぞれ受信される連続した受信信号を生成する段階とを含んでいる。
【手続補正７】
【補正対象書類名】明細書
【補正対象項目名】００２６
【補正方法】変更
【補正の内容】
【００２６】
また、本発明の請求項５のＭＩＭＯ方式システムの試験方法は、
１つの移動体端末に対する通信に複数Ｋのキャリアを用いるマルチキャリア変調方式、送信アンテナの数Ｎ、受信アンテナの数ＭのＭＩＭＯ方式および前記数Ｎの送信アンテナによる放射ビーム特性を設定するビームフォーミング処理方式を採用するシステムを試験対象とし、前記送信アンテナと前記受信アンテナの間に（Ｎ×Ｍ）個のチャネルと該チャネルにそれぞれ複数Ｕのパスを有する擬似的な伝搬路を想定し、該伝搬路を経由して前記数Ｍの受信アンテナで受信される受信信号を生成して前記試験対象に与えるＭＩＭＯ方式システムの試験方法において、
前記試験対象に伝達するためのＲレイヤ分のデータ信号列に対して、それぞれ前記複数Ｋのキャリア毎の周波数領域の変調信号を（Ｒ×Ｋ）系列分生成する段階と、
前記（Ｒ×Ｋ）系列分の変調信号に対し、時間領域での窓関数の乗算による信号切出しに相当する周波数領域での処理として、前記窓関数の周波数特性の畳み込み演算を行なう段階と、
前記数Ｎの送信アンテナと前記数Ｍの受信アンテナの間に想定される全てのパスについての伝搬路特性を求める段階と、
前記全てのパスについて求めた伝搬路特性に対し、パス毎の遅延を加味したフーリエ変換を行ない、周波数領域における伝搬路特性を求める段階と、
前記フーリエ変換によって得られた伝搬路特性に対し、前記数Ｎの送信アンテナによる放射ビーム特性を所望特性にするためのビームフォーミング処理と等価の演算処理を行なう段階と、
前記ビームフォーミング処理と等価の演算処理で得られた伝搬路特性と前記窓関数の周波数特性の畳み込み演算の結果との乗算により、前記数Ｍの受信アンテナでそれぞれ受信される信号のスペクトラム情報を求める段階と、
前記スペクトラム情報に対してフーリエ逆変換処理を行ない、前記数Ｍの受信アンテナでそれぞれ受信される時間領域の信号を生成する段階と、
前記生成した時間領域の信号を、前記窓関数の長さ分ずらして加算して、前記数Ｍの受信アンテナでそれぞれ受信される連続した受信信号を生成する段階とを含んでいる。
【手続補正８】
【補正対象書類名】明細書
【補正対象項目名】００２７
【補正方法】変更
【補正の内容】
【００２７】
また、本発明の請求項６のＭＩＭＯ方式システムの試験方法は、
１つの移動体端末に対する通信に複数Ｋのキャリアを用いるマルチキャリア変調方式、送信アンテナの数Ｎ、受信アンテナの数ＭのＭＩＭＯ方式および前記数Ｎの送信アンテナによる放射ビーム特性を設定するビームフォーミング処理方式を採用するシステムを試験対象とし、前記送信アンテナと前記受信アンテナの間に（Ｎ×Ｍ）個のチャネルと該チャネルにそれぞれ複数Ｕのパスを有する擬似的な伝搬路を想定し、該伝搬路を経由して前記数Ｍの受信アンテナで受信される受信信号を生成して前記試験対象に与えるＭＩＭＯ方式システムの試験方法において、
前記試験対象に伝達するためのＲレイヤ分のデータ信号列に対して、それぞれ前記複数Ｋのキャリア毎の周波数領域の変調信号を（Ｒ×Ｋ）系列分生成する段階と、
前記（Ｒ×Ｋ）系列分の変調信号に対し、時間領域での窓関数の乗算による信号切出しに相当する周波数領域での処理として、前記窓関数の周波数特性の畳み込み演算を行なう段階と、
前記窓関数の畳み込み演算の演算結果に対し、前記数Ｎの送信アンテナによる放射ビーム特性を所望特性にするためのビームフォーミング処理と等価の演算処理を行なう段階と、
前記数Ｎの送信アンテナと前記数Ｍの受信アンテナの間に想定される全てのパスについての伝搬路特性を求める段階と、
前記全てのパスについての伝搬路特性に対し、パス毎の遅延を加味したフーリエ変換を行ない、周波数領域における伝搬路特性を求める段階と、
前記周波数領域における伝搬路特性と、前記ビームフォーミング処理と等価の演算処理の演算結果との乗算により、前記数Ｍの受信アンテナでそれぞれ受信される信号のスペクトラム情報を求める段階と、
前記スペクトラム情報に対してフーリエ逆変換処理を行ない、前記数Ｍの受信アンテナでそれぞれ受信される時間領域の信号を生成する段階と、
前記生成した時間領域の信号を、前記窓関数の長さ分ずらして加算して、前記数Ｍの受信アンテナでそれぞれ受信される連続した受信信号を生成する段階とを含んでいる。
【手続補正９】
【補正対象書類名】明細書
【補正対象項目名】００５０
【補正方法】変更
【補正の内容】
【００５０】
レイヤ周波数領域信号生成部３１は、試験対象に伝達しようとするＲ系列の伝送データ（レイヤあるいはストリームと呼ばれる）に対してそれぞれ複数Ｋのサブキャリア毎の変調信号（コンスタレーションデータ）Ｓsym(1,1)〜Ｓsym(1,K)、Ｓsym(2,1)〜Ｓsym(2,K)、……、Ｓsym(R,1)〜Ｓsym(R,K)を生成出力する。この変調信号は、ＯＦＤＭシンボル毎に、周波数軸上にＫ個のコンスタレーションデータを並べたデータをＲ系列分含む周波数領域の信号である。なお、レイヤ数Ｒは、原理上、試験対象の受信アンテナ数Ｍ以下の値である。
【手続補正１０】
【補正対象書類名】明細書
【補正対象項目名】００５４
【補正方法】変更
【補正の内容】
【００５４】
また、コンスタレーションデータが配置される間隔（サブキャリア間隔）をｆscとする。ｆscはＯＦＤＭシンボル長Ｔsym（＝有効データ長＋サイクリックプレフィクス長）と次の関係にある。
有効データ長＝１／ｆsc    ……（４）
Ｔsym＝（１／ｆsc）＋サイクリックプレフィクス長    ……（５）